(57)【要約】      （修正有）【課題】視認者にワイシャツ着用時のイメージを想起させることが可能なワイシャツ保形用台紙を提供する。【解決手段】ワイシャツ保形用台紙１は、１枚のシートからなり、略方形状の背面部２と、背面部の左右一対の側縁から延出し、背面部の前面側に折り返される一対の折り返し片３ａ、３ｂとを備え、一対の折り返し片が、折り返された状態で背面部と対向する一対の前面部４ａ、４ｂを有し、一対の前面部が、折り返された状態で互いに重なり合う合わせ部１３ａ、１３ｂを有し、一対の前面部の合わせ部から上方に連続する一対の側縁に、上方に向けて互いに離間していく一対の傾斜部１４ａ、１４ｂが形成されており、一対の前面部が、衣服の前身頃を模したものである。【選択図】図１
0003225955.tif 000002
【実用新案登録請求の範囲】
【請求項１】
１枚のシートからなり、
略方形状の背面部と、
上記背面部の左右一対の側縁から延出し、上記背面部の前面側に折り返される一対の折り返し片と
を備え、
上記一対の折り返し片が、折り返された状態で上記背面部と対向する一対の前面部を有し、
上記一対の前面部が、折り返された状態で互いに重なり合う合わせ部を有し、
上記一対の前面部の上記合わせ部から上方に連続する一対の側縁に、上方に向けて互いに離間していく一対の傾斜部が形成されており、
上記一対の前面部が、衣服の前身頃を模したものであるワイシャツ保形用台紙。
【請求項２】
上記背面部の上縁から延出し、この背面部の前方に垂直に折り曲げられる第１折り曲げ片と、
上記第１折り曲げ片の左右一対の側縁から延出し、上記第１折り曲げ片が折り曲げられた状態でこの第１折り曲げ片の下方に折り曲げられる一対の第２折り曲げ片と
をさらに備え、
上記第１折り曲げ片及び上記一対の第２折り曲げ片が衣服の襟を模したものである請求項１に記載のワイシャツ保形用台紙。
【請求項３】
上記一対の第２折り曲げ片の、折り曲げられた状態で上記背面部と対向する側の側縁から延出し、上記一対の前面部の内側に挿入される一対の挿入片をさらに備え、
上記前面部の上記側縁に、上記傾斜部から上方に連続して上下方向に延び、上記挿入片を係止する直線部が形成されている請求項２に記載のワイシャツ保形用台紙。
【請求項４】
一方の上記合わせ部が係止孔を有し、
他方の上記合わせ部が上記係止孔に挿入される突片を有する請求項１、請求項２又は請求項３に記載のワイシャツ保形用台紙。
【請求項５】
上記折り返し片が、上記背面部と上記前面部とを接続し、上記背面部及び上記前面部に対して垂直に折り曲げられる接続部を有する請求項１から請求項４のいずれか１項に記載のワイシャツ保形用台紙。
【考案の詳細な説明】
【技術分野】
【０００１】
本考案は、ワイシャツ保形用台紙に関する。
【背景技術】
【０００２】
ワイシャツは、型崩れ防止のため、後身頃の上部に保形用の台紙を宛がい、この台紙に沿うように胴体部分で折り返して折り畳まれる（実用新案登録第３１６５９１０号公報参照）。ワイシャツは、通常この折り畳み状態でパッキングして販売される。
【先行技術文献】
【特許文献】
【０００３】
【特許文献１】実用新案登録第３１６５９１０号公報
【考案の概要】
【考案が解決しようとする課題】
【０００４】
しかしながら、上記公報に記載されているような従来の台紙を用いてワイシャツを折り畳んだ状態では、視認者がワイシャツ着用時のイメージを想起し難い。すなわち、ワイシャツの着用時には、さらにその上にスーツやジャケット等を着用することが一般的であるが、従来の台紙を用いた折り畳み状態では、ワイシャツの上にさらに他の衣服を着用している状態を想起し難い。
【０００５】
本考案は、このような不都合に鑑みてなされたものであり、視認者にワイシャツ着用時のイメージを想起させることが可能なワイシャツ保形用台紙の提供を目的とする。
【課題を解決するための手段】
【０００６】
上記課題を解決するためになされた本考案に係るワイシャツ保形用台紙は、１枚のシートからなり、略方形状の背面部と、上記背面部の左右一対の側縁から延出し、上記背面部の前面側に折り返される一対の折り返し片とを備え、上記一対の折り返し片が、折り返された状態で上記背面部と対向する一対の前面部を有し、上記一対の前面部が、折り返された状態で互いに重なり合う合わせ部を有し、上記一対の前面部の上記合わせ部から上方に連続する一対の側縁に、上方に向けて互いに離間していく一対の傾斜部が形成されており、上記一対の前面部が、衣服の前身頃を模したものである。
【考案の効果】
【０００７】
本考案に係るワイシャツ保形用台紙は、視認者にワイシャツ着用時のイメージを想起させることができる。
【図面の簡単な説明】
【０００８】
【図１】図１は、本考案の一実施形態に係るワイシャツ保形用台紙を示す模式的平面図である。
【図２】図２は、図１のワイシャツ保形用台紙によるワイシャツの保形状態を示す模式的側面図である。
【図３】図３は、図１のワイシャツ保形用台紙によるワイシャツの保形手順を示す模式図である。
【図４】図４は、図１のワイシャツ保形用台紙によるワイシャツの図３の次の保形手順を示す模式図である。
【図５】図５は、図１のワイシャツ保形用台紙によるワイシャツの図４の次の保形手順を示す模式図である。
【考案を実施するための形態】
【０００９】
［本考案の実施形態の説明］
最初に本考案の実施態様を列記して説明する。
【００１０】
本考案に係るワイシャツ保形用台紙は、１枚のシートからなり、略方形状の背面部と、上記背面部の左右一対の側縁から延出し、上記背面部の前面側に折り返される一対の折り返し片とを備え、上記一対の折り返し片が、折り返された状態で上記背面部と対向する一対の前面部を有し、上記一対の前面部が、折り返された状態で互いに重なり合う合わせ部を有し、上記一対の前面部の上記合わせ部から上方に連続する一対の側縁に、上方に向けて互いに離間していく一対の傾斜部が形成されており、上記一対の前面部が、衣服の前身頃を模したものである。
【００１１】
当該ワイシャツ保形用台紙は、上記背面部と対向するよう折り返される一対の前面部を有しており、上記背面部と上記一対の前面部との間にワイシャツを保持することができる。当該ワイシャツ保形用台紙は、上記一対の前面部が、互いに重なり合う合わせ部を有し、上記一対の前面部の上記合わせ部から上方に連続する一対の側縁に、上方に向けて互いに離間していく一対の傾斜部が形成されており、上記一対の前面部が、衣服の前身頃を模したものであるので、上記一対の側縁間にワイシャツの襟部が位置するようにワイシャツを保形した状態で、視認者にこのワイシャツの着用時のイメージを想起させることができる。
【００１２】
当該ワイシャツ保形用台紙が、上記背面部の上縁から延出し、この背面部の前方に垂直に折り曲げられる第１折り曲げ片と、上記第１折り曲げ片の左右一対の側縁から延出し、上記第１折り曲げ片が折り曲げられた状態でこの第１折り曲げ片の下方に折り曲げられる一対の第２折り曲げ片とをさらに備えており、上記第１折り曲げ片及び上記一対の第２折り曲げ片が衣服の襟を模したものであるとよい。このように、当該ワイシャツ保形用台紙が、上記背面部の上縁から延出し、この背面部の前方に垂直に折り曲げられる第１折り曲げ片と、上記第１折り曲げ片の左右一対の側縁から延出し、上記第１折り曲げ片が折り曲げられた状態でこの第１折り曲げ片の下方に折り曲げられる一対の第２折り曲げ片とをさらに備えており、上記第１折り曲げ片及び上記一対の第２折り曲げ片が衣服の襟を模したものであることによって、視認者にワイシャツの着用時のイメージをより想起させやすい。また、この構成によると、上記第１折り曲げ片及び上記一対の第２折り曲げ片によってワイシャツの襟部を保護することができる。
【００１３】
当該ワイシャツ保形用台紙が、上記一対の第２折り曲げ片の、折り曲げられた状態で上記背面部と対向する側の側縁から延出し、上記一対の前面部の内側に挿入される一対の挿入片をさらに備え、上記前面部の上記側縁に、上記傾斜部から上方に連続して上下方向に延び、上記挿入片を係止する直線部が形成されているとよい。このように、当該ワイシャツ保形用台紙が、上記一対の第２折り曲げ片の、折り曲げられた状態で上記背面部と対向する側の側縁から延出し、上記一対の前面部の内側に挿入される一対の挿入片をさらに備え、上記前面部の上記側縁に、上記傾斜部から上方に連続して上下方向に延び、上記挿入片を係止する直線部が形成されていることによって、ワイシャツの襟部をより確実に保護することができる。
【００１４】
一方の上記合わせ部が係止孔を有し、他方の上記合わせ部が上記係止孔に挿入される突片を有するとよい。このように、一方の上記合わせ部が係止孔を有し、他方の上記合わせ部が上記係止孔に挿入される突片を有することによって、上記背面部と上記一対の前面部との間にワイシャツを容易かつ確実に保持することができる。
【００１５】
上記折り返し片が、上記背面部と上記前面部とを接続し、上記背面部及び上記前面部に対して垂直に折り曲げられる接続部を有するとよい。このように、上記折り返し片が、上記背面部と上記前面部とを接続し、上記背面部及び上記前面部に対して垂直に折り曲げられる接続部を有することによって、上記背面部と上記一対の前面部との間にワイシャツを保持した状態で、上記背面部と上記一対の前面部とを適切に対向させやすい。これにより、視認者にワイシャツの着用時のイメージを想起させやすい。
【００１６】
なお、本考案において、「上」、「下」及び「左右」とは、ワイシャツ保形用台紙がワイシャツを保形した一般的態様（ワイシャツの襟部の位置を上とした態様）における「上」、「下」及び「左右」を意味する。「内」とは、ワイシャツ保形用台紙でワイシャツを保形した状態における「内」を意味する。
【００１７】
［本考案の実施形態の詳細］
以下、適宜図面を参照しつつ、本考案の実施の形態を詳説する。
【００１８】
［ワイシャツ保形用台紙］
図１のワイシャツ保形用台紙１は、１枚のシートからなる。当該ワイシャツ保形用台紙１は、略方形状の背面部２と、背面部２の左右一対の側縁から延出し、背面部２の前面側に折り返される一対の折り返し片（第１折り返し片３ａ及び第２折り返し片３ｂ）とを備える。第１折り返し片３ａは、折り返された状態で背面部２と対向する第１前面部４ａと、背面部２と第１前面部４ａとを接続し、背面部２及び第１前面部４ａに対して垂直に折り曲げられる第１接続部５ａとを有する。第２折り返し片３ｂは、折り返された状態で背面部２と対向する第２前面部４ｂと、背面部２と第２前面部４ｂとを接続し、背面部２及び第２前面部４ｂに対して垂直に折り曲げられる第２接続部５ｂとを有する。
【００１９】
当該ワイシャツ保形用台紙１は、背面部２の上縁から延出し、背面部２の前方に垂直に折り曲げられる第１折り曲げ片６と、第１折り曲げ片６の左右一対の側縁から延出し、第１折り曲げ片６が折り曲げられた状態で第１折り曲げ片６の下方に折り曲げられる一対の第２折り曲げ片７と、一対の第２折り曲げ片７の、折り曲げられた状態で背面部２と対向する側の側縁から延出し、一対の前面部４ａ、４ｂの内側に挿入される一対の挿入片８とを備える。さらに、当該ワイシャツ保形用台紙１は、背面部２の上縁から延出する舌片９を備える。なお、図１において、太い実線はシートを切断して形成される切断線を示し、細い実線はシートの片面を筋押しして形成される罫線を示している。
【００２０】
図２に示すように、当該ワイシャツ保形用台紙１は、ワイシャツＹを保形可能に構成されており、より詳しくは、両側部を背面側に折り返し、さらに襟部Ｙ１が前方に露出するように胴部を上下方向に折り畳んだ状態のワイシャツＹを背面部２と第１前面部４ａ及び第２前面部４ｂとの間に保持可能に構成されている。
【００２１】
当該ワイシャツ保形用台紙１によるワイシャツＹの保形手順について説明する。まず、図３に示すように、所定の形状に折り畳まれたワイシャツＹを背面部２の内面に配置する。この際、保形状態でワイシャツＹの一方の袖口Ｙ２を後述の窓部１２から視認させられるよう、一方の袖口Ｙ２を背面部２の側方（第２折り返し片３ｂ側の側方）に突出させておく。
【００２２】
次に、図４に示すように、背面部２との間にワイシャツＹを挟み込むように一対の折り返し片３ａ、３ｂを背面部２の前面側に折り返す。この際に、第１折り曲げ片６を背面部２の前方に折り曲げ、かつ一対の第２折り曲げ片７を第１折り曲げ片６の下方に折り曲げたうえで、一対の第２折り曲げ片７から延出する一対の挿入片８を一対の前面部４ａ、４ｂの側縁１１ａ、１１ｂに係合するように一対の前面部４ａ、４ｂの内側に挿入する。一対の挿入片８は、その基端部が一対の前面部４ａ、４ｂの側縁１１ａ、１１ｂに形成された後述の直線部１５ａ、１５ｂに係止されるように一対の前面部４ａ、４ｂの内側に挿入される。一対の前面部４ａ、４ｂは、側縁１１ａ、１１ｂ間の隙間にワイシャツＹの襟部Ｙ１を保持し、かつこの襟部Ｙ１の周囲を第１折り曲げ片６及び一対の第２折り曲げ片７で取り囲むように重ね合わせていく。
【００２３】
続いて、図５に示すように、ワイシャツＹの袖口Ｙ２を第２折り返し片３ｂに形成される窓部１２から露出させつつ、第１前面部４ａに形成される後述の突片１７を第２前面部４ｂに形成される後述の係止孔１６に挿入する。これにより、当該ワイシャツ保形用台紙１によってワイシャツＹが保形される。当該ワイシャツ保形用台紙１によると、ワイシャツＹの襟部Ｙ１は一対の前面部４ａ、４ｂの側縁１１ａ、１１ｂ間に保持されるので、他の包装袋等でパッキングしなくても、ワイシャツＹを安定的に保持することができる。
【００２４】
当該ワイシャツ保形用台紙１に用いられるシートとしては、当該ワイシャツ保形用台紙１が十分な強度を保持できる限り特に限定されるものではなく、例えば段ボールシート、ボール紙等の紙製シート、合成樹脂製シート、紙製シートと合成樹脂製シートとの積層シート等が挙げられる。中でも、加工性、衝撃吸収性、取扱性、リサイクル性、経済性等の点から紙製シートが好ましく、段ボールシートが特に好ましい。上記段ボールシートのシート厚さとしては、特に限定されるものではないが、例えば１．５ｍｍ（Ｅフルート）とすることができる。上記段ボールシートの中芯の稜線方向としては、特に限定されないが例えば左右方向とすることができる。
【００２５】
（背面部）
背面部２は、折り畳まれたワイシャツＹを背面側から支持する。背面部２は、上述のように略方形状である。背面部２は、四隅が丸められていてもよい。背面部２の左右方向長さとしては、例えば１５ｃｍ以上３０ｃｍ以下とすることができる。背面部２の上下方向長さとしては、例えば２５ｃｍ以上４５ｃｍ以下とすることができる。
【００２６】
（折り返し片）
〔接続部〕
一対の接続部５ａ、５ｂは、互いに幅（左右方向長さ）が等しい長方形状である。一対の接続部５ａ、５ｂの幅は、折り畳まれたワイシャツＹの合計厚さ程度とされる。一対の接続部５ａ、５ｂの幅としては、例えば１ｃｍ以上３ｃｍ以下とすることができる。
【００２７】
第１接続部５ａの上下方向長さは背面部２の上下方向長さと略等しい。第２接続部５ｂは、下端部が切り欠かれており、これにより第２接続部５ｂの上下方向長さは、第１接続部５ａの上下方向長さよりも小さい。第２接続部５ｂの切り欠き１２ａは、第２前面部４ｂに形成される後述の切り欠き１２ｂと合わせてワイシャツＹの袖口Ｙ３を露出するための窓部１２を構成する。切り欠き１２ａの深さは例えば５ｃｍ以上１５ｃｍ以下とすることができる。
【００２８】
当該ワイシャツ保形用台紙１は、一対の接続部５ａ、５ｂを有することで、背面部２と一対の前面部４ａ、４ｂとの間にワイシャツＹを保持した状態で、背面部２と一対の前面部４ａ、４ｂとを適切に対向させやすい。これにより、視認者にワイシャツＹの着用時のイメージを想起させやすい。
【００２９】
〔前面部〕
一対の前面部４ａ、４ｂは、衣服の前身頃を模したものである。一対の前面部４ａ、４ｂは、折り返された状態で互いに重なり合う合わせ部１３ａ、１３ｂを有する。一対の前面部４ａ、４ｂの合わせ部１３ａ、１３ｂから上方に連続する一対の側縁１１ａ、１１ｂには、上方に向けて互いに離間していく（つまり、折り返された状態で上方に向けて左右方向外側に傾斜する）一対の傾斜部１４ａ、１４ｂが形成されている。一対の傾斜部１４ａ、１４ｂ同士の間には空間が形成されている。また、一対の側縁１１ａ、１１ｂには、傾斜部１４ａ、１４ｂから上方に連続して上下方向に延び、挿入片８を係止可能な直線部１５ａ、１５ｂが形成されている。直線部１５ａ、１５ｂは、前面部４ａ、４ｂの上端に亘って延びている。一対の前面部４ａ、４ｂの上下方向長さは、背面部２の上下方向長さと略等しい。
【００３０】
第２前面部４ｂは、第２接続部５ｂと接続される側の下部に切り欠き１２ｂを有する。切り欠き１２ｂは略方形状である。この切り欠き１２ｂは、第２接続部５ｂに形成される切り欠き１２ａと連続して形成されている。切り欠き１２ｂの深さは、第２接続部５ｂに形成される切り欠き１２ａの深さと等しい。
【００３１】
第２前面部４ｂの合わせ部１３ｂには係止孔１６が形成されている。係止孔１６は、第２接続部５ｂと接続される側の側縁に向けて凸なコ字状のスリット１６ａと、スリット１６ａの両端同士を接続する折り曲げ容易線１６ｂとによって画定される。
【００３２】
第１前面部４ａの合わせ部１３ａには、係止孔１６に挿入される突片１７が形成されている。突片１７は、第１接続部５ａと反対側に突出している。
【００３３】
当該ワイシャツ保形用台紙１は、一方の合わせ部１３ｂが係止孔１６を有し、他方の合わせ部１３ａが突片１７を有するので、一対の前面部４ａ、４ｂを容易かつ確実に係合することができる。これにより、背面部２と一対の前面部４ａ、４ｂとの間にワイシャツＹを容易かつ確実に保持することができる。
【００３４】
（第１折り曲げ片）
第１折り曲げ片６は、背面部２の上縁の中央部分以外の部分から延出している。換言すると、第１折り曲げ片６は、背面部２の上縁の中央部分から連続する部分が切り欠かれている。第１折り曲げ片６の背面部２と反対側の端縁（延出方向先端側の端縁）は、背面部２の上縁と平行である。第１折り曲げ片６の延出方向長さはワイシャツＹの襟部Ｙ１の高さ以上程度とされる。具体的には、第１折り曲げ片６の延出方向長さは、５ｃｍ以上１０ｃｍ以下程度とすることができる。
【００３５】
第１折り曲げ片６は、背面部２の左右方向中央部を基準として左右対称に形成されている。第１折り曲げ片６は、背面部２の上縁から連続する基部６ａと、基部６ａの先端縁から連続する先端部６ｂとを有する。基部６ａの延出方向長さは、接続部５ａ、５ｂの幅と略等しい。先端部６ｂの左右一対の側縁は、背面部２の上縁と垂直である。先端部６ｂの幅は、一対の前面部４ａ、４ｂを背面部２と対向するように折り返した状態における一対の直線部１５ａ、１５ｂ間の間隔と略等しい。
【００３６】
（第２折り曲げ片）
一対の第２折り曲げ片７は、第１折り曲げ片６の先端部６ｂの左右一対の側縁からこれらの側縁と垂直方向に延出している。一対の第２折り曲げ片７は、第１折り曲げ片６が背面部２の前方に垂直に折り曲げられた状態で、第１折り曲げ片６の下方に垂直に折り曲げられる。つまり、一対の第２折り曲げ片７は、一対の前面部４ａ、４ｂの側縁１１ａ、１１ｂの直線部１５ａ、１５ｂと平行に折り曲げられる。
【００３７】
第１折り曲げ片６及び一対の第２折り曲げ片７は、衣服の襟を模したものである。当該ワイシャツ保形用台紙１は、第１折り曲げ片６及び一対の第２折り曲げ片７を備えるので、視認者にワイシャツＹの着用時のイメージをより想起させやすい。また、当該ワイシャツ保形用台紙１は、第１折り曲げ片６及び一対の第２折り曲げ片７を備えるので、第１折り曲げ片６及び一対の第２折り曲げ片７によってワイシャツＹの襟部Ｙ１を外側から取り囲むことができ、これによりワイシャツＹの襟部Ｙ１を保護することができる。
【００３８】
（挿入片）
一対の挿入片８は、上述のように一対の第２折り曲げ片７の背面部２と対向する側の側縁から延出している。一対の挿入片８は、左右方向外側に折り曲げられることで、一対の前面部４ａ、４ｂの側縁１１ａ、１１ｂ同士の間の空間から一対の前面部４ａ、４ｂの内面側に挿入される。当該ワイシャツ保形用台紙１は、一対の第２折り曲げ片７が一対の直線部１５ａ、１５ｂと平行に折り曲げられるので、一対の挿入片８の基端部を一対の直線部１５ａ、１５ｂに容易かつ確実に係止させることができる。従って、当該ワイシャツ保形用台紙１は、ワイシャツＹの襟部Ｙ１をより確実に保護することができる。
【００３９】
（舌片）
舌片９は、背面部２の上縁の中央部分から延出している。舌片９は、第１折り曲げ片６の切り欠かれた部分と相補的な形状を有する。舌片９は、当該ワイシャツ保形用台紙１をフック等によって引っ掛けるための係止孔９ａを有する。
【００４０】
＜利点＞
当該ワイシャツ保形用台紙１は、背面部２と対向するよう折り返される一対の前面部４ａ、４ｂを有しており、背面部２と一対の前面部４ａ、４ｂとの間にワイシャツＹを保持することができる。当該ワイシャツ保形用台紙１は、一対の前面部４ａ、４ｂが、互いに重なり合う合わせ部１３ａ、１３ｂを有し、一対の前面部４ａ、４ｂの合わせ部１３ａ、１３ｂから上方に連続する一対の側縁１１ａ、１１ｂに、上方に向けて互いに離間していく一対の傾斜部１４ａ、１４ｂが形成されており、一対の前面部４ａ、４ｂが、衣服の前身頃を模したものであるので、一対の側縁１１ａ、１１ｂ間にワイシャツＹの襟部Ｙ１が位置するようにワイシャツＹを保形した状態で、視認者にこのワイシャツＹの着用時のイメージを想起させることができる。
【００４１】
［その他の実施形態］
上記実施形態は、本考案の構成を限定するものではない。従って、上記実施形態は、本明細書の記載及び技術常識に基づいて上記実施形態各部の構成要素の省略、置換又は追加が可能であり、それらは全て本考案の範囲に属するものと解釈されるべきである。
【００４２】
例えば当該ワイシャツ保形用台紙は、上述の第１折り曲げ片及び第２折り曲げ片を有していなくてもよい。また、当該ワイシャツ保形用台紙は、上記第１折り曲げ片及び上記第２折り曲げ片を有する場合でも、上述の挿入片を有しない構成とすることも可能である。加えて、当該ワイシャツ保形用台紙は、上記挿入片を有する場合でも、この挿入片が一対の前面部の側縁に形成される傾斜部に係止されるよう構成されていてもよい。この場合、一対の前面部の側縁には上述の直線部は形成されていなくてもよい。
【００４３】
上記一対の合わせ部同士の係合手段は特に限定されるものではない。また、上記一対の合わせ部同士は、例えば接着剤やテープ等の他の部材によって互いに固定されるよう構成されていてもよい。
【００４４】
上記折り返し片は、上記背面部と上記前面部とを接続する接続部を有しなくてもよい。例えば上記折り返し片は、前面部のみから構成することも可能である。
【００４５】
当該ワイシャツ保形用台紙は、ワイシャツの袖口を露出するための窓部を有していなくてもよい。また、上記窓部は、上記接続部と上記前面部とに跨って形成されていなくてもよく、例えば上記前面部のみに形成されていてもよい。さらに、上記窓部は、切り欠きによって形成されていなくてもよく、例えば前面部に形成される開口であってもよい。
【産業上の利用可能性】
【００４６】
以上のように、本考案に係るワイシャツ保形用台紙は、視認者にワイシャツ着用時のイメージを想起させることができるので、ワイシャツ販売時のワイシャツ用保形材として適している。
【符号の説明】
【００４７】
１  ワイシャツ保形用台紙
２  背面部
３ａ  第１折り返し片
３ｂ  第２折り返し片
４ａ  第１前面部
４ｂ  第２前面部
５ａ  第１接続部
５ｂ  第２接続部
６  第１折り曲げ片
６ａ  基部
６ｂ  先端部
７  第２折り曲げ片
８  挿入片
９  舌片
９ａ  係止孔
１１ａ、１１ｂ  側縁
１２  窓部
１２ａ、１２ｂ  切り欠き
１３ａ、１３ｂ  合わせ部
１４ａ、１４ｂ  傾斜部
１５ａ、１５ｂ  直線部
１６  係止孔
１６ａ  スリット
１６ｂ  折り曲げ容易線
１７  突片
Ｙ  ワイシャツ
Ｙ１  襟部
Ｙ２  袖口
【図１】
0003225955.tif 000003
【図２】
0003225955.tif 000004
【図３】
0003225955.tif 000005
【図４】
0003225955.tif 000006
【図５】
0003225955.tif 000007